(57)【要約】【課題】  座部の下方に設けたハンドルを回転させて座部の傾斜角度を調節可能な椅子において、どのような角度調節状態でもボルトが露出することがなく、外観性に優れた状態を常に維持することが可能な椅子の座板角度調節装置を提供する。【解決手段】  脚部に支持されたベース部材１１と、ベース部材に枢支部にて上下傾動可能に枢支して座板を支持する傾動部材１２と、傾動部材の傾斜角度を調節する角度調節手段１３とからなり、角度調節手段は、ベース部材に上下貫通して設けた雌ネジ孔（ナット４２）にボルト１６を螺合し、ベース部材の下面に定位置回転可能に装着したハンドル１７の非円形孔１８にボルトの下部を遊挿し、非円形孔に相対回転不能且つ孔に沿ってスライド可能に内嵌した回転伝達部材１９をボルトの下端に回転不能に連結し、ボルトの上端を傾動部材の下面に回転可能に係着した。【選択図】        図５
2009273679.tif 000002
【特許請求の範囲】
【請求項１】
脚部に支持されたベース部材と、該ベース部材の上位に配して該ベース部材に枢支部にて上下傾動可能に枢支して座板を支持する傾動部材と、前記枢支部から離れたベース部材と傾動部材の間に連係して設け、前記傾動部材の傾斜角度を調節する角度調節手段とからなる椅子の座板角度調節装置であって、前記角度調節手段は、前記ベース部材に上下貫通して設けた雌ネジ孔にボルトを螺合し、中心に非円形孔を設けたハンドルを、該非円形孔に前記ボルトの下部を遊挿した状態で前記ベース部材の下面に定位置回転可能に装着するとともに、前記非円形孔に相対回転不能且つ孔に沿ってスライド可能に内嵌した回転伝達部材を前記ボルトの下端に回転不能に連結し、前記ボルトの上端を前記傾動部材の下面に回転可能に係着したことを特徴とする椅子の座板角度調節装置。
【請求項２】
前記ベース部材の下面に、前記ボルトを取り囲むように軸筒を同心状に固定するとともに、該軸筒との間に間隙を設けて合成樹脂製の支持部材を取付け、前記ハンドルの上部に前記非円形孔に連通し且つ前記軸筒に回転可能に嵌合する筒部を突設するとともに、該筒部の外周部で前記間隙内に位置する部位に前記支持部材に回転可能に抜止め係合する係合部を形成してなる請求項１記載の椅子の座板角度調節装置。
【請求項３】
前記支持部材には、前記軸筒を挿通する円筒状本体部の下端に半径方向内方へ向けて環状突部を形成し、該環状突部と前記軸筒との間に前記間隙を形成し、前記ハンドルの筒部の外周上端部に、前記環状突部に回転可能に抜止め係合する前記係合部として弾性爪を突設してなる請求項２記載の椅子の座板角度調節装置。
【請求項４】
前記ボルトの上端には、少なくとも頂部が球形凸面である拡径した頭部を一体的に形成し、前記傾動部材の下面に前記球形凸面が当接した状態を維持すべく係止部材を取付けてなり、前記係止部材は前記頭部を収容する断面略コ字形の包持部と該包持部の両側に広がり前記傾動部材の下面に取付ける固定板とを有し、前記包持部の底面には前記ボルトの軸部を挿通し且つ頭部を係止し得る長円孔を形成するとともに、前記包持部の底面は該長円孔の長手方向を弦とする上方に凸の円弧面としてなる請求項１〜３何れかに記載の椅子の座板角度調節装置。
【発明の詳細な説明】
【技術分野】
【０００１】
本発明は、椅子の座板角度調節装置に係わり、更に詳しくは椅子の座板の上下傾斜角度を調節することが可能な座板角度調節装置に関するものである。
【背景技術】
【０００２】
従来から、脚部に取付けた支持体の上部に座板を支持し、前記支持体は前記脚部に支持されたベース部材と、該ベース部材の上位に配して上下傾動可能に枢支した傾動部材と、前記枢支部から離れたベース部材と傾動部材の間に連係して設け、前記傾動部材の傾斜角度を調節する角度調節手段とを備えた座部構造を有する椅子は各種提供されている。
【０００３】
例えば、特許文献１には、座受が、前端部を脚に前後に傾動可能に枢支され、かつ、この前端部から後方へ偏位した部位を、脚に上下に貫通する雌ネジ孔に上下動可能に嵌合してなるボルトの上端により当接支持されているとともに、この当接支持されている位置からの回転上動を前記ボルトの上端により抑止されている椅子が記載されている。ここで、前記座受の下面に設けた受座と前記ボルトの上端とが摺動可能に当接し、更に前記ボルトの上端に頭とくびれ部分とを有し、前記受座がボルトのくびれ部分が前後に遊嵌可能でかつ前記ボルトの頭の径よりも狭い幅をもつ後端が開口したスリットを有している構造が開示されている。
【０００４】
尚、角度調節手段として、一部又は全部に雄ネジを形成した雄ネジ部材（ボルト）と雌ネジを形成した雌ネジ部材（ナット）とからなる螺進退機構を用いることは周知である。
【０００５】
しかし、前記特許文献１の構造の角度調節手段は、脚に固定された部分に雌ネジ孔を設け、該雌ネジ孔に下方からボルトを螺合してその上端で傾動可能な座受を支持し、ボルトの下端に固定した取手（ハンドル）を回転して座受の角度を調節する構造であるため、脚の下方にボルトが突出しており、取手を回転させてボルトを下方へ移動させた際に、その突出長さは長くなり、外観的に醜くなるばかりでなく、ボルトが露出しているので、その露出部分に指が触れると指に汚れが付着するといった問題点がある。
【特許文献１】特許第２９１５８５６号公報
【発明の開示】
【発明が解決しようとする課題】
【０００６】
そこで、本発明が前述の状況に鑑み、解決しようとするところは、座部の下方に設けたハンドルを回転させて座部の傾斜角度を調節可能な椅子において、どのような角度調節状態でもボルトが露出することがなく、外観性に優れた状態を常に維持することが可能な椅子の座板角度調節装置を提供する点にある。
【課題を解決するための手段】
【０００７】
本発明は、前述の課題解決のために、脚部に支持されたベース部材と、該ベース部材の上位に配して該ベース部材に枢支部にて上下傾動可能に枢支して座板を支持する傾動部材と、前記枢支部から離れたベース部材と傾動部材の間に連係して設け、前記傾動部材の傾斜角度を調節する角度調節手段とからなる椅子の座板角度調節装置であって、前記角度調節手段は、前記ベース部材に上下貫通して設けた雌ネジ孔にボルトを螺合し、中心に非円形孔を設けたハンドルを、該非円形孔に前記ボルトの下部を遊挿した状態で前記ベース部材の下面に定位置回転可能に装着するとともに、前記非円形孔に相対回転不能且つ孔に沿ってスライド可能に内嵌した回転伝達部材を前記ボルトの下端に回転不能に連結し、前記ボルトの上端を前記傾動部材の下面に回転可能に係着したことを特徴とする椅子の座板角度調節装置を構成した（請求項１）。
【０００８】
ここで、前記ベース部材の下面に、前記ボルトを取り囲むように軸筒を同心状に固定するとともに、該軸筒との間に間隙を設けて合成樹脂製の支持部材を取付け、前記ハンドルの上部に前記非円形孔に連通し且つ前記軸筒に回転可能に嵌合する筒部を突設するとともに、該筒部の外周部で前記間隙内に位置する部位に前記支持部材に回転可能に抜止め係合する係合部を形成してなることが好ましい（請求項２）。
【０００９】
また、前記支持部材には、前記軸筒を挿通する円筒状本体部の下端に半径方向内方へ向けて環状突部を形成し、該環状突部と前記軸筒との間に前記間隙を形成し、前記ハンドルの筒部の外周上端部に、前記環状突部に回転可能に抜止め係合する前記係合部として弾性爪を突設してなることがより好ましい（請求項３）。
【００１０】
そして、前記ボルトの上端には、少なくとも頂部が球形凸面である拡径した頭部を一体的に形成し、前記傾動部材の下面に前記球形凸面が当接した状態を維持すべく係止部材を取付けてなり、前記係止部材は前記頭部を収容する断面略コ字形の包持部と該包持部の両側に広がり前記傾動部材の下面に取付ける固定板とを有し、前記包持部の底面には前記ボルトの軸部を挿通し且つ頭部を係止し得る長円孔を形成するとともに、前記包持部の底面は該長円孔の長手方向を弦とする上方に凸の円弧面としてなることも好ましい（請求項４）。
【発明の効果】
【００１１】
以上にしてなる請求項１に係る発明の椅子の座板角度調節装置は、ハンドルを定位置で回転させるだけでボルトがベース部材の雌ネジ孔に対して螺進退して、ボルトの上端に回転可能に係着した傾斜部材の傾斜角度を調節することができ、この際にどのような角度調節状態でもボルトが露出することがなく、外観性に優れた状態を常に維持することができる。また、座板にかかる荷重はボルトで支持するので、ハンドルには一切荷重がかからないので、強度における設計の制約が少なく、安価な合成樹脂でハンドルを成形できる。
【００１２】
請求項２によれば、ハンドルの筒部をベース部材の下面に突設した軸筒に外嵌するとともに、筒部を軸筒と支持部材との間の間隙に挿入して、該筒部の外周部に形成した係合部を該支持部材に回転可能に抜止め係合するだけで、ハンドルを簡単に装着することができるにも係わらず、ハンドルの筒部が軸筒に回転可能に外嵌しているので、ハンドルの回転が非常に安定である。
【００１３】
請求項３によれば、ハンドルの筒部をベース部材の下面に突設した軸筒に外嵌するとともに、支持部材の環状突部と軸筒の間の間隙に強制的に挿入するだけで、筒部の外周上端部に突設した弾性爪が前記環状突部の内周縁に抜止め係合するので、ハンドルの装着をワンタッチで行うことができる。
【００１４】
請求項４によれば、ボルトの頭部で傾動部材を支持し、座板に着座した場合には着座者の体重も支持するが、前記頭部の球形凸面が前記傾動部材の上面に点接触するので、座板に着座したままでもハンドルを回転操作して楽に傾斜角度を調節でき、また傾動部材に持ち上げ力が作用した場合には、前記ボルトの頭部が、前記係止部材の円弧面に係止するが、上方に凸の円弧面の存在により前記傾動部材がどのような傾斜角度になっても、球形凸面が傾動部材の上面に接触した状態で、頭部と円弧面との間隔が常に最小になるので、ガタつきなく係止できるのである。
【発明を実施するための最良の形態】
【００１５】
次に、添付図面に示した実施形態に基づき、本発明を更に詳細に説明する。図１は本発明に係る椅子を示し、図２は座部の傾斜角度を調節する様子を示した椅子の側面図、図３は背凭れ部の前後位置を調節する様子を示した椅子の側面図を示し、図４〜図９は本発明の要部を示し、図中符号１は脚部、２は座部、３は背凭れ部、１１はベース部材、１２は傾動部材、１３は角度調節手段をそれぞれ示している。
【００１６】
本発明に係る椅子は、図１及び図２に示すように、脚部１に対して傾斜角度を調節可能に支持された座部２と、該座部２の下方に前後方向に延び、手前側が低く後部が高くなるように側面視で傾斜させて設けたガイド手段４と、該ガイド手段４に沿って移動可能に設けた移動フレーム５と、該移動フレーム５に下端を固定した背凭れ部３とを備え、前記座部２に対して背凭れ部３を前後方向へ移動調節可能となした基本構造を有している。
【００１７】
具体的には、前記椅子は、前記背凭れ部３は、前記座部２の両側から立ち上がった両背凭れ杆６，６の上端部に背支持部材７を固定するとともに、該背支持部材７の下方に間隔を置いて腰支持部材８を配し、該腰支持部材８の両側部を両背凭れ杆６，６の中間部に上下移動可能に支持して設け、前記腰支持部材８の下端が常に前記座部２の上面に接触するように付勢したのである。
【００１８】
そして、前記座部２は、図２及び図３に示すように、前記脚部１に取付けた支持体９の上部に座板１０を支持して形成し、前記支持体９は前記脚部１に支持されたベース部材１１と、該ベース部材１１の上位に配して該ベース部材１１に枢支部１４にて上下傾動可能に枢支して座板１０を支持する傾動部材１２と、前記枢支部１４から離れたベース部材１１と傾動部材１２の間に連係して設け、前記傾動部材１２の傾斜角度を調節する角度調節手段１３とから構成されている。
【００１９】
本実施形態では、前記支持体９は、前記ベース部材１１の後部に前記傾動部材１２の後部を上下傾動可能に枢支し、前記ベース部材１１と傾動部材１２の前部間に前記角度調節手段１３を連係して設けている。それにより、前記角度調節手段１３を操作して前記ベース部材１１に対して傾動部材１２の前部を昇降させ、その上面に支持した座板１０の傾斜角度を調節し、着座者の腿裏の圧迫を緩和するようにしている。また、前記ベース部材１１にガイド手段４を設け、座部２に対して背凭れ部３の位置を前後方向に移動調節可能とし、着座者の体格に応じて座部２の実質的な奥行幅を調節できるようにしている。
【００２０】
更に詳しくは、図２〜図５に示すように、前記角度調節手段１３は、前記ベース部材１１に上下貫通して設けた雌ネジ孔１５にボルト１６を螺合し、中心に非円形孔１８を設けたハンドル１７を、該非円形孔１８に前記ボルト１６の下部を遊挿した状態で前記ベース部材１１の下面に定位置回転可能に装着するとともに、前記非円形孔１８に相対回転不能且つ孔に沿ってスライド可能に内嵌した回転伝達部材１９を前記ボルト１６の下端に回転不能に連結し、前記ボルト１６の上端を前記傾動部材１２の下面に回転可能に係着したものである。
【００２１】
更に、前記ベース部材１１の下面に、前記ボルト１６を取り囲むように軸筒２０を同心状に固定するとともに、該軸筒２０との間に間隙を設けて合成樹脂製の支持部材２１を取付け、前記ハンドル１７の上部に前記非円形孔１８に連通し且つ前記軸筒２０に回転可能に嵌合する筒部２２を突設するとともに、該筒部２２の外周部で前記間隙内に位置する部位に前記支持部材２１に回転可能に抜止め係合する係合部２３を形成している。
【００２２】
また、前記支持部材２１には、前記軸筒２０を挿通する円筒状本体部２４の下端に半径方向内方へ向けて環状突部２５を形成し、該環状突部２５と前記軸筒２０との間に前記間隙を形成し、前記ハンドル１７の筒部２２の外周上端部に、前記環状突部２５に回転可能に抜止め係合する前記係合部２３として弾性爪２３を突設している。
【００２３】
一方、前記ボルト１６の上端には、少なくとも頂部が球形凸面２７である拡径した頭部２６を一体的に形成し、前記傾動部材１２の下面に前記球形凸面２７が当接した状態を維持すべく係止部材２８を取付けている。ここで、前記係止部材２８は、前記ボルト１６の頭部２６を収容する断面略コ字形の包持部２９と該包持部２９の両側に広がり前記傾動部材１２の下面に取付ける固定板３０，３０とを有し、前記包持部２９の底面には前記ボルト１６の軸部３１を挿通し且つ頭部２６を係止し得る長円孔３２を形成するとともに、前記包持部２９の底面は該長円孔３２の長手方向を弦とする上方に凸の円弧面３３としている。
【００２４】
次に、更に各部の詳細を説明する。前記ベース部材１１は、上方開放したスチール製の箱状部材であり、底面の中央部に前記脚部１に立設したガスシリンダー３４の上端を固定する支持筒３５を溶接し、前端部に前記雌ネジ孔１５と軸筒２０を設ける支持台３６を一体的に設けている。ここで、前記支持台３６は、前記ベース部材１１に一体形成しても、別部材としてベース部材１１に溶接しても良い。前記傾動部材１２は、前記ベース部材１１よりも横幅が広い下方開放したスチール製の箱状部材であり、上面の前後に左右に張り出した座板取付部３７，３７を固定している。そして、前記ベース部材１１の両側板３８，３８の外側に、前記傾動部材１２の両側板３９，３９を少なくとも後部が重なるようにし、その重なった後部において両部材の側板３８，３８と側板３９，３９を貫通するように支軸１４を挿通し、該支軸１４で前記ベース部材１１に対して前記傾動部材１２が上下傾動可能に枢支されている。
【００２５】
そして、図５に示すように、前記ベース部材１１の支持台３６の底板４０に円孔４１を形成し、その上面に前記雌ネジ孔１５を有するナット４２を溶接するとともに、底板４０の下面に前記円孔４１及び雌ネジ孔１５と同心状に前記軸筒２０と溶接して下方へ突設している。更に、前記支持台３６の底板４０で、前記円孔４１の外側に係合孔４３，４３を形成するとともに、直交する方向に螺孔４４，４４を形成している。そして、前記支持部材２１の本体部の上面に突設した係合爪４５，４５を前記係合孔４３，４３に係合するとともに、本体部２４から両側へ延出した取付部４６，４６を下方から挿通したネジ４７，４７を前記螺孔４４，４４に螺合して取付ける。
【００２６】
前記ハンドル１７の筒部２２には、図４に示すように、半径方向に多数のスリット４８，…が形成され、該筒部２２の外周上端部に突設した弾性爪２３が内外へ弾性変形することを許容している。そして、前記ハンドル１７の筒部２２を前記軸筒２０に外挿するとともに、該軸筒２０と前記支持部材２１の環状突部２５との間の間隙に強制的に挿入し、前記弾性爪２３を該環状突部２５の内縁に係止して取付ける。このように、前記支持部材２１を介して装着した前記ハンドル１７は、前記ベース部材１１に対して定位置回転可能であり、筒部２２が軸筒２０に回転可能に外嵌しているので、回転が正確で非常に安定である。
【００２７】
そして、本実施形態では、前記ハンドル１７に形成した非円形孔１８は、コーナーを丸くした正方形の断面形状であり、それに応じて前記回転伝達部材１９もコーナーを丸くした正方形の板部材である。ここで、前記ボルト１６の下端の両側面にＤカット部４９，４９を形成し、前記回転伝達部材１９には前記ボルト１６のＤカット部４９を含む下端部を回転不能に嵌挿する長孔５０を形成し、前記回転伝達部材１９の長孔５０を貫通したボルト１６の下端に割りピン等の抜止め具５１を装着して連結する。
【００２８】
そして、前記角度調節手段１３を組立てるには、先ず前記ベース部材１１と傾動部材１２が分離した状態で、前記係止部材２８の長円孔３２に上方からボルト１６の軸部３１を挿通するとともに、該軸部３１を前記ベース部材１１のナット４２の雌ネジ孔１５に上方から少し螺合し、それから前記ベース部材１１と傾動部材１２を支軸１４で枢着する。そして、前記前記ベース部材１１と傾動部材１２の前部間に指を差し入れて、前記支持部材２８を持ち上げて前記傾動部材１２の上面に当接し、該上面の所定位置に形成した通孔５２，５２に上方から挿通したネジ５３，５３を、前記支持部材２８の固定板３０，３０に形成した螺孔５４，５４に螺合して取付ける。それから、前記ボルト１６を手で回転させてねじ込み前記軸筒２０よりも十分に下方へ突出させた後、前記支持部材２１を前記支持台３６の下面に嵌着するとともに、ネジ止めして取付ける。そして、前記ハンドル１７をボルト１６の下部に挿通しながら、筒部２２を軸筒２０に外嵌するとともに、該軸筒２０と支持部材２１の環状突部２５の間の間隙に強制的に押し込んで弾性爪２３を該環状突部２５に係止する。そして、前記ハンドル１７の非円形孔１８内に前記回転伝達部材１９を嵌挿すると同時に、該回転伝達部材１９の長孔５０を前記ボルト１６の下端に嵌合し、抜止め具５１を装着する。最後に、前記枢支部１４よりも後方位置で、前記傾動部材１２の両側板３９，３９にストッパーピン５５を嵌挿して装着する。
【００２９】
前記ストッパーピン５５は、前記傾動部材１２の前部を最大限に上昇させた際に、前記ベース部材１１の両側板３８，３８の上端に当止し、それ以上の上昇を抑制し、もって前記ベース部材１１と傾動部材１２の前部及び支持台３６と傾動部材１２の間に、指を挿入し得る間隔が生じないようにすると同時に、前記ボルト１６の軸部３１とナット４２の雌ネジ孔１５との螺合関係を保障するのである。
【００３０】
図６は、前記座板１０の前部が最も高い状態、即ち後方へ最も傾斜したリクライニング状態を示し、この状態からハンドル１７を左回転させると、該ハンドル１７は定位置で回転するが、該ハンドル１７の非円形孔１８と回転伝達部材１９を介して回転が伝達されたボルト１６は、左回転してナット４２に対して下降し、前記傾動部材１２の前部が下降し、前記座板１０がより前傾した状態になる。図７は、座板１０の前部が最も下降した前傾状態を示し、この状態では着座者の腿裏が座板１０の前部で圧迫されないので、長時間のデスクワークに適している。このように、前記ハンドル１７を定位置で回転させるだけで、前記ボルト１６はナット４２、即ち支持台３６、即ちベース部材１１に対して昇降し、その際に回転伝達部材１９もハンドル１７の非円形孔１８内で上下にスライド移動する。そして、どのような状態においても前記ボルト１６はハンドル１７の非円形孔１８の内部に位置しているので、外観性に優れ、しかも常に同じ外観を維持するのである。
【００３１】
また、前記ボルト１６の頭部２６で傾動部材１２を支持し、つまり座板１０に着座した場合には着座者の体重も支持するが、前記頭部２６の球形凸面２７が前記傾動部材１２の上面に点接触するので、座板１０に着座したままでもハンドル１７を回転操作して楽に傾斜角度を調節できるのである。また、前記傾動部材１２に持ち上げ力が作用した場合には、前記ボルト１６の頭部２６が、前記係止部材２８の円弧面３３に係止するが、上方に凸の円弧面３３の存在により前記傾動部材１２がどのような傾斜角度になっても、球形凸面２７が傾動部材１２の上面に接触した状態で、頭部２６と円弧面３３との間隔が常に最小になるので、ガタつきなく係止できるのである。
【００３２】
また、図８は前記ストッパーピン５５の代わりに、前記ベース部材１１の両側板３８，３８の後部の一部を上方へ延設してストッパー片５６，５６を突設した実施形態であり、前記座板１０の前部を最も上昇させて後傾角度を大きくした場合に、前記ストッパー片５６，５６が前記傾動部材１２の上面を当止するようにしたものである。
【図面の簡単な説明】
【００３３】
【図１】本発明に係る椅子の全体斜視図である。
【図２】同じく椅子の側面図である。
【図３】本発明の要部を示す分解斜視図である。
【図４】同じく部分拡大斜視図である。
【図５】組立てた状態の角度調節手段を示す部分拡大断面図である。
【図６】座板が最も後傾した状態の部分断面図である。
【図７】座板が最も前傾した状態の部分断面図である。
【図８】ストッパー構造の他の実施形態を示す分解斜視図である。
【符号の説明】
【００３４】
１  脚部、              ２  座部、
３  背凭れ部、          ４  ガイド手段、
５  移動フレーム、      ６  背凭れ杆、
７  背支持部材、        ８  腰支持部材、
９  支持体、            １０  座板、
１１  ベース部材、      １２  傾動部材、
１３  角度調節手段、    １４  枢支部（支軸）、
１５  雌ネジ孔、        １６  ボルト、
１７  ハンドル、        １８  非円形孔、
１９  回転伝達部材、    ２０  軸筒、
２１  支持部材、        ２２  筒部、
２３  係合部（弾性爪）、  ２４  本体部、
２５  環状突部、        ２６  頭部、
２７  球形凸面、        ２８  係止部材、
２８  支持部材、        ２９  包持部、
３０  固定板、          ３１  軸部、
３２  長円孔、          ３３  円弧面、
３４  ガスシリンダー、  ３５  支持筒、
３６  支持台、          ３７  座板取付部、
３８  側板、            ３９  側板、
４０  底板、            ４１  円孔、
４２  ナット、          ４３  係合孔、
４４  螺孔、            ４５  係合爪、
４６  取付部、          ４７  ネジ、
４８  スリット、        ４９  Ｄカット部、
５０  長孔、            ５１  抜止め具、
５２  通孔、            ５３  ネジ、
５４  螺孔、            ５５  ストッパーピン、
５６  ストッパー片。
【図１】
2009273679.tif 000003
【図２】
2009273679.tif 000004
【図３】
2009273679.tif 000005
【図４】
2009273679.tif 000006
【図５】
2009273679.tif 000007
【図６】
2009273679.tif 000008
【図７】
2009273679.tif 000009
【図８】
2009273679.tif 000010